(57)【要約】【課題】面発光を行う発光パネル装置において、水面模様や星空模様等の演出照明を容易、かつ、安価に実現する。【解決手段】発光パネル装置１は、透光板２と、透光板２に対向して配設された反射板３と、透光板２と反射板３間に形成された導光空間４と、導光空間４に光を照射する光源部５とを備える。透光板２の導光空間４に臨む表面２１は、透光板２の出射光を方向によって粗密になるように配光する、周期性のない粗面処理が成されている。光源部５から導光空間４に照射された光Ｌ１が、反射板３にて反射されて透光板２に入射され、透光板２から導光空間４外に出射されると、出射光が方向によって粗密を持ち、周期性を成さずに様々な方向に配光される。これにより、方向によって不規則な粗密を成す面発光を形成することができるので、水面模様や星空模様等の演出照明を、複雑な調光制御なしに、容易、かつ、安価に実現することができる。【選択図】図２
2009032474.tif 000002
【特許請求の範囲】
【請求項１】
板状の透光部材と、
前記透光部材に対向して配設された光を反射する板状の反射部材と、
前記透光部材と反射部材との間に形成される導光空間と、
前記導光空間に光を照射するように配設された光源部と、
を備えた発光パネル装置であって、
前記光源部から前記導光空間に照射された光が、直接的に、又は前記反射部材にて反射されて間接的に前記透光部材に入射され、前記透光部材から前記導光空間外に出射されると共に、
前記透光部材の前記導光空間に臨む表面、その内部、及びその反対側面のうちのいずれかの面、又は前記反射部材の前記導光空間に臨む表面に、出射光が方向によって粗密になるように配光する、周期性のない粗面処理が成されていることを特徴とする発光パネル装置。
【請求項２】
前記光源部は、前記導光空間の内部、又はその周辺に複数配設されていることを特徴とする請求項１記載の発光パネル装置。
【発明の詳細な説明】
【技術分野】
【０００１】
本発明は、面発光を行う発光パネル装置に関する。
【背景技術】
【０００２】
従来、面発光を行う発光パネル装置は、例えば、液晶表示装置のバックライト用として、広く利用されている。また、液晶表示装置の大画面化に伴い、発光パネル装置も大型化してきている。このような発光パネル装置は、バックライト用以外に、発光パネル装置そのものを平面型の照明装置として利用することが可能であり、例えば、壁や床面に取り付けて、壁面照明等として使用される。また、このような発光パネル装置の壁面照明においては、店舗、ホテル等において、ホールや室内の照明環境を変化させるために、例えば、周期性のない、不規則な粗密の光を配光して、光を反射する水面模様や、星空模様などの光を創出し、自然環境の風景などを再現する特別な演出照明を行うことにより、ユーザの気分を落ち着けるようにサービスすること等が考えられる。
【０００３】
また、拡散板と反射板とで挟まれた筐体内の中空領域に沿って、この中空領域へ出射される複数の点光源からなるサイドライト部を備え、点光源の配置密度がサイドライト部の中央部がその端部よりも高くなるように構成された面状光源装置が知られている（例えば、特許文献１参照）。
【０００４】
また、光ファイバの側面から導光空間に光ファイバの光を漏光し、漏光した光を発光面全域に亘って照明輝度を均一にするようにした平面発光ユニットが知られている（例えば、特許文献２参照）。
【０００５】
また、光拡散シート上にレンズシートを積層して、所望の角度範囲内のみに均一かつ高輝度に発光させ、面内での場所による輝度のバラツキのない面発光を得る面光源及びその面光源を用いた表示装置が知られている（例えば、特許文献３参照）。
【０００６】
しかしながら、上述した従来の発光パネル装置においては、自然模様などを演出できる照明を行おうとすると、光源部の点灯制御が極めて複雑になり、専用の制御ソフトや制御回路等を必要とするなど、装置が複雑化し、コスト高となっていた。また、特許文献１に示される装置は、面状光源の中央部における輝度を端部より明るくするものであり、特許文献２に示される平面発光ユニットは、光ファイバを光源として光源の光を均一にして照射するものであり、さらに、特許文献３に示される装置は、光拡散シートとレンズシートを用いて均一な面発光を得るものであるので、いずれも不規則な粗密の光を配光することができなかった。
【特許文献１】特開２００５−２２８５３５号公報
【特許文献２】特開平１１−１４２６５２号公報
【特許文献３】特開平７−５４６２号公報
【発明の開示】
【発明が解決しようとする課題】
【０００７】
本発明は、上記の問題を解決するためになされたものであり、面発光を行う発光パネル装置において、光を反射する水面模様や、星空模様などの自然環境の風景等を再現する特別な演出照明を容易、かつ安価に実現することができる発光パネル装置を提供することを目的とする。
【課題を解決するための手段】
【０００８】
上記目的を達成するために請求項１の発明は、板状の透光部材と、前記透光部材に対向して配設された光を反射する板状の反射部材と、前記透光部材と反射部材との間に形成される導光空間と、前記導光空間に光を照射するように配設された光源部と、を備えた発光パネル装置であって、前記光源部から前記導光空間に照射された光が、直接的に、又は前記反射部材にて反射されて間接的に前記透光部材に入射され、前記透光部材から前記導光空間外に出射されると共に、前記透光部材の前記導光空間に臨む表面、その内部、及びその反対側面のうちのいずれかの面、又は前記反射部材の前記導光空間に臨む表面に、出射光が方向によって粗密になるように配光する、周期性のない粗面処理が成されているものである。
【０００９】
請求項２の発明は、請求項１に記載の発光パネル装置において、前記光源部は、前記導光空間の内部、又はその周辺に複数配設されているものである。
【発明の効果】
【００１０】
請求項１の発明によれば、透光部材を透過して導光空間外に出射される出射光が、周期性がなく、方向によって粗密になるように配光されるので、出射光の輝度分布を、周期性のない、不規則な粗密分布とすることができる。これにより、例えば、輝度分布が不規則な粗密分布を成すような、光を反射した水面模様や星空模様等の演出照明を、複雑な照明制御を必要とすることなく、光源部からの光を導光空間内に照射するだけの簡単な構成で容易、かつ、安価に実現することができる。
【００１１】
請求項２の発明によれば、光源部を複数配置したことにより、導光空間内に複数の光を照射することができるので、それぞれの光源部を独立して不規則に点灯又は消灯させることにより、より複雑な照明制御を行うことができる。
【発明を実施するための最良の形態】
【００１２】
以下、本発明の第１の実施形態に係る発光パネル装置について、図１、図２及び図３（ａ）、（ｂ）を参照して説明する。図１に示すように、本実施形態の発光パネル装置１は、透光板（透光部材）２と、透光板２に対向して配設された光を反射する反射板（反射部材）３と、透光板２と反射板３との間に形成される導光空間４と、導光空間４に光を照射するように配設された光源部５と、透光板２、反射板３及び光源部５を固定する筐体１０と、光源部５を調光制御する光源制御部６とを備える。これら透光板２と、反射板３及び光源部５は、矩形の筐体１０に支持されて固定されている。筐体１０は、反射板３を固定する矩形の底面部１１と、底面部１１の一対の両側端に略直角に設けられた側面部１２、１３を有する。側面部１２、１３は、各側面部１２、１３に沿って設けられた透光板２の両端を支持する支持台１４、１５と、これら支持台１４、１５の下方に設けられた、光源部５を収納するための収納部１６、１７とを備えている。収納部１６、１７は、収納された光源部５が光を照射する筐体１０の内部側を開放とした断面がコの字型を成す空洞である。支持台１４、１５で支持された透光板２と、底面部１１に固定された反射板３は、互いに略平行に配設され、それらの間の空間は、光源部５からの光が照射される導光空間４を形成する。本実施形態の発光パネル装置１は、光源部５から導光空間４に照射された光が、直接的に、又は反射板３にて反射されて間接的に透光板２に入射され、透光板２から導光空間４外に出射されて面発光する面光源を成すものである。
【００１３】
透光板２は、板状の光を透過する透光部材よりなり、その屈折率は空気より大きく、透光部材としては、アクリルなどによる透過樹脂やガラス等、光を透過するものであれば任意に使用可能である。この透光板２は、後述の光源部５から照射される光の照射経路となる導光空間４に配設され、導光空間４から透光板２に入射する光を拡散、屈折、及び透過させる。ここで、この透光板２の導光空間４に臨む表面２１には、透光板２を透過した出射光が方向によって粗密になるように配光する周期性のない粗面処理が成されている。この周期性のない粗面処理は、例えば、波紋などの周期性のない凹凸パターンの型を作製し、この凹凸パターンの型を用いて表面を加工することにより行うことができる。
【００１４】
この周期性のない粗面処理の加工方法の例としては、基材に細かい砂をぶつけて、基材表面に細かい凹凸をつけるサンドブラスト加工、表面が凹凸のロールを加熱して、基材に押付けることにより、ロールの凹凸を基材に転写するエンボス加工（例えば、凹凸を波紋のように加工）、射出成型による金型加工、レーザで材料表面を切除するレーザ加工、凹凸加工を施した型に材料を流し込んで固める鋳造加工、及び表面に防食層を作って、作りたいパターンの形に防食層を取除いてから、酸などで表面を腐食させて削るエッチング加工などを用いることができる。また、これらの各加工方法を組合わせることもできる。
【００１５】
透光板２の表面２１には、図２及び図３（ａ）に示すように、上記各種加工方法を用いて、周期性のない粗面処理が成され、透光板２の出射光が方向によって粗密になるような凹凸形状を有する凹凸パターン２１ａが形成されている。この凹凸形状は、例えば、出射光として、光が乱反射された水面のような模様を発生したい場合は、エンボス加工等により、凹凸形状を波紋のように加工することによって形成することが可能である。このような加工によって得られる凹凸パターン２１ａの凹凸形状は、複数の凹凸が連続的に繋がった凹凸面から成っていると見なすことができる。この凹凸形状では、凹凸による光の屈折方向の違いにより、透光板２を透過する光の配光方向が異なる。ここで、例えば、凹凸パターン２１ａの凹凸形状の凸部Ｐ１、Ｐ２、Ｐ３において、これら凸部Ｐ１、Ｐ２、Ｐ３を略凸レンズ的作用があると見なすと、透光板２に入射された光は、各凸部Ｐ１、Ｐ２、Ｐ３の互いに異なるレンズ光軸方向にそれぞれ配光される。即ち、凹凸形状により、様々な方向に配光することが可能である。
【００１６】
反射板３は、透光板２に対向して平行に配設された光を反射する板状の反射部材であり、光源部５からの光の照射経路となる導光空間４に配設される。この反射部材としては、光を反射する部材なら何でも使用可能である。また、反射板３は、導光空間４を臨む表面３１を有し、この表面３１により、光源部５からの光を導光空間４内に反射させる。
【００１７】
反射板３の表面３１は、図３（ｂ）に示すように、その表面に細かい凹凸形状（例えば、梨地模様など）を成す粗面３１ａが形成された粗い鏡面を成す。これにより、後述の光源部５の光源５１乃至５６からの入射光Ｌ１は、表面３１の粗面３１ａで細かく乱反射され、さらに、導光空間４内の透光板２と反射板３間で多重反射され、その大部分が透光板２に入射する入射光Ｌ２となる。この入射光Ｌ２は、粗面３１ａにおける乱反射により、その輝度分布がマクロ的に視て略均一光と見なすことができ、無指向性の一様な輝度分布の光として透光板２に入射される。
【００１８】
導光空間４は、透光板２と反射板３との間に形成される略矩形の空間であり、光源部５の各光源５１乃至５６から入射される光の照射経路となる。この導光空間４に入射された光は、導光空間４内の反射板３と透光板２間における多重反射を繰り返し、透光板２を透過して導光空間４外に出射される。
【００１９】
光源部５は、導光空間４内に光を照射するように、導光空間４の周辺に配設された光源である。この光源部５に使用される光源デバイスとしては、例えば、発光ダイオード、白熱灯、放電灯など発光するものであればよい。光源部５は、導光空間４の両側端に沿って、複数の光源５１乃至５３及び光源５４乃至５６を備え、それらは一定間隔を成して配設されている。これらの光源５１乃至５６の光は、導光空間４の各側端から導光空間４内を照射する（これをエッジライト方式という）。また、光源制御部６は、光源部５の光源５１乃至５６をＯＮ／ＯＦＦ制御等により、光源部５を調光制御する。
【００２０】
上記のように構成された本実施形態の発光パネル装置１において、光源部５から導光空間４に入射された光Ｌ１は、反射板３の表面３１上の粗面３１ａで乱反射されると共に、導光空間４内で透光板２と反射板３間で、さらに多重反射され、その大部分が透光板２へ入射される。この入射光は、従来の液晶表示パネル用のバックライトの光と同様にマクロ的に見て輝度レベルが略均一な光となって、透光板２の表面２１に入射される。この表面２１に入射された入射光Ｌ２は、表面２１上の周期性のない粗面処理により、不規則な凹凸形状が形成され凹凸パターン２１ａにより、透光板２を透過すると、その出射光（Ｌ３乃至Ｌ５など）は、方向によって粗密になって、様々な方向に配光される。これにより、本発光パネル装置１は、光源部５の光を、透光板２を透過して導光空間４外に不規則な粗密を持った光を出射することにより、透光板２の裏面２２を面発光面として粗密の面発光を様々な方向に配光する面光源となる。
【００２１】
また、反射板３で反射された透光板２への入射光Ｌ２は、輝度レベルが略均一なので、透光板２からの出射光の照射パターン模様は、透光板２における光の透過特性、即ち、凹凸パターン２１ａの凹凸形状による透過特性によりほぼ決定される。従って、凹凸パターン２１ａの凹凸形状を、出射光が方向によって粗密になるように配光する、周期性のない粗面処理により形成したことにより、マクロ的に視て、方向によって粗密に配光される自然環境風景等の照射パターン模様を面発光することができる。例えば、凹凸パターン２１ａの凹凸形状を、波紋のように加工しておくと、その加工されたパターン形状に従って、透光板２から出射光を配光することが可能となり、マクロ的に視て波紋形状に基く水面模様等の配光を得ることができる。また、凹凸パターン２１ａの凹凸形状のパターンを替えることにより、この照射パターン模様を替えることができる。
【００２２】
このように、本実施形態によれば、透光板２の凹凸パターン２１ａにおいて、出射光が方向によって粗密になるように配光する、周期性のない粗面処理が成されたことにより、透光板２から導光空間４外に出射される出射光が、不規則に、方向によって不規則に粗密になるように配光される。即ち、出射光の輝度分布を、周期性のない不規則な粗密分布とすることができる。これにより、例えば、輝度分布が周期性のない粗密分布を成すような、光を乱反射した水面模様や星空模様等の演出照明を、複雑な照明制御を必要とすることなく、光源部５からの光を、凹凸パターン２１ａを有する導光空間４内に照射するだけの簡単な構成で容易、かつ、安価に実現することができる。
【００２３】
また、光源部５を複数配置したことにより、導光空間４内に複数の光を照射することができるので、それぞれの光源部５を独立して不規則に点灯又は消灯させることにより、より複雑な照明制御を行うことができる。
【００２４】
次に、本発明の第２の実施形態に係る発光パネル装置について、図４を参照して説明する。同図において、本実施形態の発光パネル装置１は、凹凸パターンを、透光板２における表面２１の反対側面の裏面２２に設けた点で異なり、他は、前記第１の実施形態と同じである。
【００２５】
透光板２の裏面２２には、上記各種加工方法を用いて、前記第１の実施形態と同様に、出射光が方向によって粗密になるように配光する周期性のない粗面処理が成された凹凸パターン２２ａが形成されている。この構成において、光源部５から導光空間４に入射された入射光Ｌ１は、前記第１の実施形態と同様に、反射板３の表面３１に設けた粗面３１ａによる乱反射と、導光空間４内における多重反射により、その輝度分布がマクロ的に視て略均一となった入射光Ｌ２として、透光板２に入射される。そして、透光板２に入射された入射光Ｌ２は、凹凸パターン２２ａを透過すると、透光板２の裏面２２から、凹凸パターン２２ａのパターン形状に基いて、粗密を持つ面発光の出射光として、様々な方向に配光される。
【００２６】
このように、本実施形態によれば、透光板２の裏面２２から、粗密になった出射光が様々な方向に配光されると共に、導光空間４内の透光板２の表面２１が平坦なので、光源部５からの入射光Ｌ１が全反射し易くなり、導光空間４内の遠くまで届くことができ、導光空間４内から透光板２に入射する入射光Ｌ２の輝度分布を一様にし易くできる。
【００２７】
次に、本発明の第３の実施形態に係る発光パネル装置について、図５を参照して説明する。同図において、本実施形態の発光パネル装置１は、透光板２における凹凸パターン２２ａを、透光板２の内部に設けた点で異なり、他は、前記第１の実施形態と同じである。
【００２８】
透光板２は、表面２１と、表面２１に対向する表面２１の裏面２２に形成された凹凸パターン２２ａを覆うカバー面２３と、側面２４、２５とを有した矩形形状を成し、その内部には空洞２６が形成されている。また、裏面２２の凹凸パターン２２ａは、上記第２の実施形態と同様の形状を成している。
【００２９】
上記のように構成された本実施形態の発光パネル装置１において、前記第２の実施形態と同様に、透光板２に入射された入射光Ｌ２は、凹凸パターン２２ａを透過すると、透光板２の裏面２２から、凹凸パターン２２ａのパターン形状に基いて、粗密の光となり、カバー面２３から出射光（例えば、Ｌ３乃至Ｌ５）として、様々な方向に配光される。
【００３０】
このように、本実施形態によれば、凹凸パターン２２ａに基き、周期性のない不規則な粗密を持つ面発光ができると共に、凹凸パターン２２ａが空洞２６内に設けられているので、そのパターン表面を外部から保護することができ、外部環境の影響を受け難くなり装置の信頼性が高まる。
【００３１】
次に、本発明の第４の実施形態に係る発光パネル装置について、図６を参照して説明する。同図において、本実施形態の発光パネル装置１は、透光板２における凹凸パターンを、反射板３の表面３１に設けた点で異なり、他は、前記第１の実施形態と同じである。
【００３２】
透光板２の表面２１と裏面２２は、共に平坦な面を成す。また、反射板３は、その導光空間４を臨む表面３１に凹凸パターン３１ｂが形成されている。凹凸パターン３１ｂは、前記凹凸パターン２１ａ（図２参照）と同様の形状を成し、出射光が方向によって粗密になるように配光される周期性のない粗面処理が成された凹凸パターンを有する。この凹凸パターン３１ｂの凹凸パターンは、反射板３から導光空間４を臨む方向に凹凸を成すパターンである。ここでは、例えば、凹型パターンとして凹部Ｑ１乃至Ｑ３を形成すると、この凹部Ｑ１乃至Ｑ３は、光を表面で反射する凹面鏡としての役割を果たし、透光板２に入射された光は、各凹部Ｑ１乃至Ｑ３の異なる凹面鏡の光軸方向にそれぞれ配光される。
【００３３】
上記のように構成された本実施形態の発光パネル装置１において、光源部５から導光空間４内に入射された入射光Ｌ１、反射板３の凹凸パターン３１ｂで反射される。この凹凸パターン３１ｂで反射された反射光は、方向によって粗密になるように配光される周期性のない輝度分布を成し、透光板２への入射光Ｌ２となって透光板２へ入射される。透光板２に入射された入射光Ｌ２は、透光板２が平坦な平板であるので、透光板２の一定の屈折率に基いて屈折されて透光板２を透過し、不規則な粗密を成す輝度分布を持った出射光（例えば、Ｌ６乃至Ｌ８）として、透光板２から、様々な方向に配光される。
【００３４】
このように、本実施形態によれば、反射板３に設けた凹凸パターン３１ｂに基き、不規則な粗密の出射光を様々の方向に配光することができると共に、凹凸パターンを反射板３に形成したことにより、反射板３の表面３１に乱反射用の粗面３１ａ（図３（ｂ）参照）を形成する必要がないので、構成をより簡単にできる。
【００３５】
次に、本発明の第５の実施形態に係る発光パネル装置について、図７を参照して説明する。同図において、本実施形態の発光パネル装置１は、光源部５の光源を導光空間４の周辺でなく、導光空間４内に設けた点で異なり、他は、前記第１の実施形態と同じである。
【００３６】
光源部５の光源は、導光空間４内において、反射板３の表面３１上に複数配設されている。この構成により、光源部５の光源からの光Ｌ１は、直接的に、透光板２の表面２１の凹凸パターン２１ａに入射され、この凹凸パターン２１ａのパターン形状に基いて、周期性のない粗密の光となり、透光板２からの出射光となって様々な方向に配光される。
【００３７】
このように、本実施形態によれば、光源部５の光源が導光空間４内の多くの場所に配置されるので、これらの光源部５の光源を個々に制御することにより、さらに、複雑な照明制御を行うことができる。また、透光板２に入射する光が、反射板３により反射される間接的な光でなく、光源部５の光源から直接的に入射される光なので、全体の輝度を大きくすることができる。
【００３８】
次に、本発明の第６の実施形態に係る発光パネル装置について、図８を参照して説明する。同図において、本実施形態の発光パネル装置１は、導光空間４の周辺に配置された光源部５が、１つの光源と、この光源の光を導光する導光部材７とを備え、この導光部材７を介して光源の光を導光空間４へ照射する点で異なり、他は、前記第１の実施形態と同じである。
【００３９】
導光空間４の両端に設けた光源部５は、それぞれ１つの光源５１、光源５４と、これら光源５１、５４の光を導光して、導光空間４内へ照射する略円柱（又は円筒）の導光部材７をそれぞれ備える。この導光部材７は、その円柱側面に円柱軸方向に沿って、導光空間４の端部に光を出射する出射口（不図示）が形成されている。これにより、導光部材７内に導光された光源５１及び光源５４からの光が、導光部材７の出射口から導光空間４内全体に照射される。なお、導光部材７は、多角柱で形成してもよい。
【００４０】
このように、本実施形態によれば、導光部材７を用いて導光空間４を照射することにより、導光空間４内全体を照射するための光源を１つの光源で形成できるので、光源部５の構成が簡単でき、装置１をコンパクト化及び低廉化することができる。
【００４１】
次に、本発明の第７の実施形態に係る発光パネル装置について、図９（ａ）乃至（ｃ）を参照して説明する。同図（ａ）乃至（ｃ）は、それぞれ本実施形態の発光パネル装置による作用を示す。本実施形態の発光パネル装置１の構成は、基本的には、第１の実施形態と同様であるので、構成の図示は省略している。本実施形態の光源部５は、光源Ａ乃至Ｆ（ここでは、図１の光源５１乃至５６に対応）を備え、それぞれの光源Ａ乃至光源Ｆを、光源制御部６により、各光源Ａ乃至Ｆからの出射光の光量がゆらぎを持つように調光制御する点で異なる。
【００４２】
図９（ａ）は、各光源Ａ乃至光源Ｆのゆらぎ制御された出力光量の時間的変化である光量波形（これを、ゆらぎ波形という）を示す。このゆらぎ波形は、ここでは、点線で囲まれたゆらぎ制御の単位ゆらぎ波形Ｒを繰り返す波形となっており、また、各光源Ａ乃至Ｆの各ゆらぎ波形は、互いにそれらの波形の位相がシフトされている。即ち、各光源Ａ乃至Ｆにおいては、光源制御部６によって、それらのゆらぎ波形の位相が互いにシフトされて調光制御される。これにより、位相シフトによりゆらぎ制御された光が、導光空間４に照射されるので、時間的に変化する調光制御を行うことができる。
【００４３】
図９（ｂ）は、ゆらぎ制御される各光源Ａ乃至Ｆにおいて、点灯のタイミングを変えて調光制御したときの、各光源Ａ乃至Ｆのゆらぎ波形を示す。ここでは、光源Ａ、Ｃ、Ｅが同じタイミングで先にオン、オフされ、その後、光源Ｂ、Ｆがオン、オフされる。これにより、複数光源の点灯、消灯のタイミングをずらすことにより、調光制御の時間的演出効果を高めることができる。
【００４４】
図９（ｃ）は、ゆらぎ制御される各光源Ａ乃至Ｆにおいて、各光源のゆらぎ制御による単位ゆらぎ波形を全て異なった波形とした場合の各それぞれのゆらぎ波形を示す。これにより、各光源Ａ乃至Ｆを全て異なるゆらぎ波形により制御することができるので、さらに、複雑な調光制御が可能となる。
【００４５】
このように、本実施形態によれば、複数の光源をゆらぎ制御すると共に、ゆらぎ波形の位相、点灯・消灯タイミング、異なるゆらぎ波形等により、さらに複雑な調光制御を行うことができ、面発光を用いた演出照明における演出効果をより高めることができる。
【００４６】
なお、本発明は上記各種の実施形態の構成に限定されるものではなく、発明の趣旨を変更しない範囲で適宜に種々の変形が可能である。例えば、複数の光源を、色の異なる色光源とすることにより、より多彩な出射光の模様を形成することができるので、さらに複雑な演出照明が可能となる。
【図面の簡単な説明】
【００４７】
【図１】本発明の第１の実施形態に係る発光パネル装置の斜視図。
【図２】上記発光パネル装置の分解斜視図。
【図３】（ａ）は上記発光パネル装置の側面図、（ｂ）は同装置の反射板における反射状態を説明する側面図。
【図４】本発明の第２の実施形態に係る発光パネル装置の側面図。
【図５】本発明の第３の実施形態に係る発光パネル装置の側面図。
【図６】本発明の第４の実施形態に係る発光パネル装置の側面図。
【図７】（ａ）は本発明の第５の実施形態に係る発光パネル装置の斜視図、（ｂ）は同装置の側面図。
【図８】本発明の第６の実施形態に係る発光パネル装置の概略構成図。
【図９】（ａ）は本発明の第７の実施形態に係る発光パネル装置の光源部の調光制御における異なる位相のゆらぎ波形を示す図、（ｂ）は同調光制御における異なるタイミングのゆらぎ波形を示す図、（ｃ）は同調光制御における異なる形状のゆらぎ波形を示す図。
【符号の説明】
【００４８】
１  発光パネル装置
２  透光板（透光部材）
３  反射板（反射部材）
４  導光空間
５  光源部
２１  透光板の表面
２２  透光板の裏面
３１  反射板の表面
５１、５２、５３、５４、５５、５６  光源（光源部）
【図１】
2009032474.tif 000003
【図２】
2009032474.tif 000004
【図３】
2009032474.tif 000005
【図４】
2009032474.tif 000006
【図５】
2009032474.tif 000007
【図６】
2009032474.tif 000008
【図７】
2009032474.tif 000009
【図８】
2009032474.tif 000010
【図９】
2009032474.tif 000011